【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
像担持体での露光走査および現像によって可視像を形成し、記録媒体に転写する画像形成装置であって、
入力画像に対し、前記記録媒体の搬送方向である副走査方向に隣接する２画素を平均化することによって、該副走査方向のサイズを１／２に縮小する平均化手段と、
前記平均化手段からの出力画像に対し、多値誤差拡散処理を施す多値誤差拡散手段と、
前記多値誤差拡散手段からの出力画像における各画素を、前記副走査方向に隣接する２画素に置き換える２画素化手段と、
前記２画素化手段からの出力画像に対し、画素位置に応じて副走査方向に隣接する画素値を入れ替えた画像を出力する出力手段と、
前記出力手段からの出力画像に基づいて、前記露光走査を行うための露光制御信号を生成する露光制御信号の生成手段と、
を有することを特徴とする画像形成装置。
【請求項２】
前記出力手段は、市松状に配置される画素ブロック単位で、該ブロック内において画素値が入れ替えられた画像を出力することを特徴とする請求項１に記載の画像形成装置。
【請求項３】
前記２画素化手段は、前記多値誤差拡散手段からの出力画像がとりうる画素値に対し、それぞれに対応する２画素分の画素値の組を予め設定しておき、
該画素値の組は、２画素分の画素値が互いに異なる第１の組と、２画素分の画素値が互いに等しい第２の組を有することを特徴とする請求項１または２に記載の画像形成装置。
【請求項４】
前記第１の組においては、置き換え時に副走査方向における一方側に相当する画素の画素値が、他方側に相当する画素の画素値よりも大きいことを特徴とする請求項３に記載の画像形成装置。
【請求項５】
前記第２の組は、前記多値誤差拡散手段からの出力画像における最大および最小の画素値に対して設定されることを特徴とする請求項３または４に記載の画像形成装置。
【請求項６】
像担持体での露光走査および現像によって可視像を形成し、記録媒体に転写する画像形成装置であって、
入力画像に対し、前記記録媒体の搬送方向である副走査方向に隣接する２画素を平均化することによって、該副走査方向のサイズを１／２に縮小する平均化手段と、
前記平均化手段からの出力画像に対し、多値誤差拡散処理を施す多値誤差拡散手段と、前記多値誤差拡散手段からの出力画像における各画素を、該画素のアドレスに応じて２種類のＬＵＴのいずれかを参照して前記副走査方向に隣接する２画素に置き換える２画素化手段と、
前記２画素化手段からの出力画像に基づいて、前記露光走査を行うための露光制御信号を生成する露光制御信号の生成手段と、
を有し、
前記２画素化手段は、前記２種類のＬＵＴとして、置き換え時の副走査方向における画素値の大小関係が互いに逆となるＬＵＴを有し、前記多値誤差拡散手段からの出力画像において市松状に配置される２×２画素ブロックに含まれる画素と、該ブロックに含まれない画素とで、参照するＬＵＴを切り替えることを特徴とする画像形成装置。
【請求項７】
像担持体での露光走査および現像によって可視像を形成し、記録媒体に転写する画像形成装置であって、
入力画像に対し、前記記録媒体の搬送方向である副走査方向に隣接する２画素を平均化することによって、該副走査方向のサイズを１／２に縮小する平均化手段と、
前記平均化手段からの出力画像に対し、多値誤差拡散処理を施す多値誤差拡散手段と、
前記多値誤差拡散手段から出力される特定プレーンの画像における各画素を、前記副走査方向に隣接する２画素に置き換える第１の２画素化手段と、
前記第１の２画素化手段からの出力画像に対し、市松状に配置される２×２画素ブロック単位で、該ブロック内において副走査方向に隣接する画素値が入れ替えられた画像を出力する出力手段と、
前記多値誤差拡散手段から出力される前記特定プレーン以外のプレーンの画像における各画素を、前記副走査方向に隣接する２画素に置き換える第２の２画素化手段と、
前記出力手段からの出力画像または前記第２の２画素化手段からの出力画像に基づいて、前記露光走査を行うための露光制御信号を生成する露光制御信号の生成手段と、
を有し、
前記第２の２画素化手段は、置き換え対象となる２画素間の差分が、前記第１の２画素化手段による２画素間の差分以下となることを特徴とする画像形成装置。
【請求項８】
前記特定プレーンは、ブラックのプレーンであることを特徴とする請求項７に記載の画像形成装置。
【請求項９】
像担持体での露光走査および現像によって可視像を形成し、記録媒体に転写する画像形成装置であって、
入力画像に対し、前記記録媒体の搬送方向である副走査方向に隣接する２画素を平均化することによって、該副走査方向のサイズを１／２に縮小する平均化手段と、
前記平均化手段からの出力画像における各画素に対し、画素値が予め定められた閾値ＴＨよりも小さいか否かを判定する判定手段と、
前記平均化手段からの出力画像に対し、多値誤差拡散処理を施す多値誤差拡散手段と、前記多値誤差拡散手段からの出力画像における各画素のうち、前記判定手段で画素値が前記閾値ＴＨよりも小さいと判定された画素について、前記副走査方向に隣接する２画素に置き換える第１の２画素化手段と、
前記第１の２画素化手段からの出力画像に対し、市松状に配置される２×２画素ブロック単位で、該ブロック内において副走査方向に隣接する画素値が入れ替えられた画像を出力する出力手段と、
前記多値誤差拡散手段からの出力画像における各画素のうち、前記判定手段で画素値が前記閾値ＴＨ以上であると判定された画素について、前記副走査方向に隣接する２画素に置き換える第２の２画素化手段と、
前記出力手段からの出力画像または前記第２の２画素化手段からの出力画像に基づいて、前記露光走査を行うための露光制御信号を生成する露光制御信号の生成手段と、を有し、
前記第２の２画素化手段は、置き換え対象となる２画素間の差分が、前記第１の２画素化手段による２画素間の差分以下となることを特徴とする画像形成装置。
【請求項１０】
像担持体での露光走査および現像によって可視像を形成し、記録媒体に転写する画像形成装置の制御方法であって、
平均化手段が、入力画像に対し、前記記録媒体の搬送方向である副走査方向に隣接する２画素を平均化することによって、該副走査方向のサイズを１／２に縮小する平均化ステップと、
多値誤差拡散手段が、前記平均化ステップによる出力画像に対し、多値誤差拡散処理を施す多値誤差拡散ステップと、
２画素化手段が、前記多値誤差拡散ステップによる出力画像における各画素を、前記副走査方向に隣接する２画素に置き換える２画素化ステップと、
出力手段が、前記２画素化ステップによる出力画像に対し、画素位置に応じて副走査方向に隣接する画素値を入れ替えた画像を出力する出力ステップと、
生成手段が、前記出力ステップによる出力画像に基づいて、前記露光走査を行うための露光制御信号を生成する露光制御信号の生成ステップと、
を有することを特徴とする画像形成装置の制御方法。
【請求項１１】
請求項１０に記載の画像形成装置の制御方法における各ステップをコンピュータに実行させるためのプログラム。
【請求項１２】
請求項１１に記載のプログラムを記憶したコンピュータ可読な記憶媒体。
【請求項１３】
像担持体での露光走査及び現像によって可視像を形成し、記録媒体に転写する画像形成装置であって、
入力画像に対し、前記記録媒体の搬送方向である副走査方向に隣接するＨ画素（Ｈは２以上）を平均化することによって、該副走査方向のサイズを１／Ｈに縮小する平均化手段と、
前記平均化手段からの出力画像における各画素に対し、多値誤差拡散処理を施す多値誤差拡散手段と、
前記多値誤差拡散手段からの出力画像における各画素を、前記副走査方向に隣接するＨ画素に置き換えるＨ画素化手段と、
前記Ｈ画素化手段からの出力画像に対し、画素位置に応じて画素値が入れ替えられた画像を出力する出力手段と、
前記出力手段からの出力画像に基づいて、前記露光走査を行うための露光制御信号を生成する露光制御信号の生成手段と、
を有することを特徴とする画像形成装置。
【請求項１４】
前記Ｈ画素化手段は、前記多値誤差拡散手段により出力される値が０の場合、Ｈ画素化された画素の内、少なくとも１画素の濃度値として０以外の値を出力することを特徴とする請求項１３に記載の画像形成装置。
【請求項１５】
前記出力手段は、Ｍ×Ｎサイズ（Ｍ，Ｎは共に１以上で、いずれか一方は２以上の整数）のテーブルを有し、該テーブルに従って画素値を入れ替えることを特徴とする請求項１３に記載の画像形成装置。
【請求項１６】
像担持体での露光走査及び現像によって可視像を形成し、記録媒体に転写する画像形成装置であって、
入力画像に対し、前記記録媒体の搬送方向である副走査方向に隣接するＨ画素（Ｈは２以上）を平均化することによって、該副走査方向のサイズを１／Ｈに縮小する平均化手段と、
前記平均化手段からの出力画像における各画素に対し、多値誤差拡散処理を施す多値誤差拡散手段と、
前記多値誤差拡散手段からの出力画像における各画素を、前記副走査方向に隣接するＨ画素に置き換えるＨ画素化手段と、
前記Ｈ画素化手段からの出力画像に基づいて、前記露光走査を行うための露光制御信号を生成する露光制御信号の生成手段と、
を有することを特徴とする画像形成装置。
【請求項１７】
前記Ｈ画素化手段は、複数の画素値テーブルと、該複数の画素値テーブルのいずれかを選択するテーブル選択手段を有し、画素毎に前記画素値テーブルを選択することによってスクリーン角を生成することを特徴とする請求項１６に記載の画像形成装置。
【請求項１８】
前記テーブル選択手段は、Ｍ×Ｎサイズ（Ｍ，Ｎは共に１以上で、いずれか一方は２以上の整数）の選択テーブルを有し、該選択テーブルに従って前記複数の画素値テーブルのいずれかを選択することを特徴とする請求項１７に記載の画像形成装置。
【請求項１９】
像担持体での露光走査及び現像によって可視像を形成し、記録媒体に転写する画像形成装置の制御方法であって、
平均化手段が、入力画像に対し、前記記録媒体の搬送方向である副走査方向に隣接するＨ画素（Ｈは２以上）を平均化することによって、該副走査方向のサイズを１／Ｈに縮小する平均化ステップと、
多値誤差拡散手段が、前記平均化ステップによる出力画像における各画素に対し、多値誤差拡散処理を施す多値誤差拡散ステップと、
Ｈ画素化手段が、前記多値誤差拡散ステップによる出力画像における各画素を、前記副走査方向に隣接するＨ画素に置き換えるＨ画素化ステップと、
出力手段が、前記Ｈ画素化ステップによる出力画像に対し、画素位置に応じて画素値が入れ替えられた画像を出力する出力ステップと、
生成手段が、前記出力ステップによる出力画像に基づいて、前記露光走査を行うための露光制御信号を生成する露光制御信号の生成ステップと、
を有することを特徴とする画像形成装置の制御方法。
【請求項２０】
像担持体での露光走査及び現像によって可視像を形成し、記録媒体に転写する画像形成装置の制御方法であって、
平均化手段が、入力画像に対し、前記記録媒体の搬送方向である副走査方向に隣接するＨ画素（Ｈは２以上）を平均化することによって、該副走査方向のサイズを１／Ｈに縮小する平均化ステップと、
多値誤差拡散手段が、前記平均化ステップによる出力画像における各画素に対し、多値誤差拡散処理を施す多値誤差拡散ステップと、
Ｈ画素化手段が、前記多値誤差拡散ステップによる出力画像における各画素を、前記副走査方向に隣接するＨ画素に置き換えるＨ画素化ステップと、
生成手段が、前記Ｈ画素化ステップによる出力画像に基づいて、前記露光走査を行うための露光制御信号を生成する露光制御信号の生成ステップと、
を有することを特徴とする画像形成装置の制御方法。
【請求項２１】
請求項１９または２０に記載の画像形成装置の制御方法の各ステップをコンピュータに実行させるためのプログラム。
【請求項２２】
請求項２１に記載のプログラムを記憶したコンピュータ可読な記憶媒体。
【手続補正２】
【補正対象書類名】明細書
【補正対象項目名】０００６
【補正方法】変更
【補正の内容】
【０００６】
すなわち、像担持体での露光走査および現像によって可視像を形成し、記録媒体に転写する画像形成装置であって、
入力画像に対し、前記記録媒体の搬送方向である副走査方向に隣接する２画素を平均化することによって、該副走査方向のサイズを１／２に縮小する平均化手段と、
前記平均化手段からの出力画像に対し、多値誤差拡散処理を施す多値誤差拡散手段と、
前記多値誤差拡散手段からの出力画像における各画素を、前記副走査方向に隣接する２画素に置き換える２画素化手段と、
前記２画素化手段からの出力画像に対し、画素位置に応じて副走査方向に隣接する画素値を入れ替えた画像を出力する出力手段と、
前記出力手段からの出力画像に基づいて、前記露光走査を行うための露光制御信号を生成する露光制御信号の生成手段と、を有することを特徴とする。